(57)【要約】照明機能を持つメガネは、一対のレンズが装着されているフレームを含む。一対のつるは互いに離隔してフレームに折畳可能に連結され、それぞれのつるはフレームに折畳可能に連結される先端部、着用者の耳を越えて延在する後端部、及び先端部に形成された前面の開放した収納ポケットを持つ。つるの収納ポケットには、複数のランプが前方に向けて光を放射するようにそれぞれ装着されている。電源はフレームと独立しており、ケーブルを介してランプに選択的に連結される。
2010537380.tif 000002
【特許請求の範囲】
【請求項１】
一対のレンズが装着されているフレームと；
前記フレームに互いに離隔して折畳可能に連結された先端部、着用者の耳を越えて延在する後端部、及び前記先端部に形成された前面の開放した収納ポケットを持つ一対のつると；
前記一対のつるの前記収納ポケットに前方に向けて光を放射するようにそれぞれ装着されている複数のランプと；
前記フレームと独立しており、前記複数のランプにケーブルを介して選択的に連結される電源と；を含むことを特徴とする、照明機能を持つメガネ。
【請求項２】
前記複数のランプのそれぞれは、前記着用者の視線とほぼ平行になるように前方にかつ下向きに伸びる光軸を持つことを特徴とする、請求項１に記載の照明機能を持つメガネ。
【請求項３】
前記一対のつるの各前記収納ポケットに装着されるホルダーをさらに含み、前記ホルダーは、前面に前記ランプが装着される複数の装着凹部が形成され、前記装着凹部は、前記ランプの前記光軸を下向きに斜めに支持する傾斜支持面を有することを特徴とする、請求項２に記載の照明機能を持つメガネ。
【請求項４】
前記ホルダーは、前記つるの前記収納ポケットに差し込まれる平板型実装板部と、前記実装板部の先端に形成されるフランジとを持ち、前記装着凹部は前記フランジの近くに形成され、前記実装板部は、前記複数のランプのそれぞれに連結される複数の抵抗を装着するために、複数の装着孔を持つことを特徴とする、請求項３に記載の照明機能を持つメガネ。
【請求項５】
前記実装板部の一側にスナップフックが形成され、それぞれの前記つるは前記スナップフックが結合されるロック孔を持つことを特徴とする、請求項４に記載の照明機能を持つメガネ。
【請求項６】
前記電源から供給される電力をオン／オフ制御するために、各前記収納ポケットと前記電源との間に伸びる前記ケーブルに装着されるスイッチをさらに含み、前記電源はバッテリーパックを含むことを特徴とする、請求項１に記載の照明機能を持つメガネ。
【請求項７】
前記ケーブルの一部を収容するために、各前記つるの外側面に連結された配線管をさらに含み、前記配線管は前記つるの長手方向に伸びることを特徴とする、請求項１に記載の照明機能を持つメガネ。
【請求項８】
前記それぞれのつるは、前記収納ポケットをなすように前記外側面に形成されたハウジング、及び前記ハウジングから離隔するように前記つるの前記外側面に形成された固定突起を持ち、前記配線管は前記ハウジングと前記固定突起との間に配設されていることを特徴とする、請求項７に記載の照明機能を持つメガネ。
【請求項９】
前記一対のつるは、一対のケーブルを収納するために、長手方向に沿って伸びるボアを有する中空型に形成され、前記ボアは、前記ケーブルが前記収納ポケットから前記ボアを通じて前記電源に伸びるように前記収納ポケットに連通していることを特徴とする、請求項１に記載の照明機能を持つメガネ。
【請求項１０】
前記電源から前記ランプに供給される電力をオン／オフ制御するために、前記収納ポケットと前記電源との間に伸びる前記ケーブルに装着されるスイッチをさらに含み、前記電源は移動端末機を含むことを特徴とする、請求項９に記載の照明機能を持つメガネ。
【請求項１１】
前記それぞれのつるに取り付けられて前記ランプに電気的に接続されるソケットをさらに含み、前記ケーブルは前記ソケットに着脱可能に連結されるジャックを持つことを特徴とする請求項１に記載の照明機能を持つメガネ。
【発明の詳細な説明】
【技術分野】
【０００１】
本発明は照明機能を持つメガネに係り、より詳しくはメガネのつるにランプを備えて照明を具現することができる照明機能を持つメガネに関する。
【背景技術】
【０００２】
メガネは視力を矯正するか目を保護する役目をする器具である。視力の矯正のためのメガネの一例として老眼鏡（Ｒｅａｄｉｎｇ  ｇｌａｓｓｅｓ）は、近い物体を明らかに見られない老眼の人が着用している。目を保護するための保護メガネ（Ｓａｆｅｔｙ  ｇｌａｓｓｅｓ）の一例としてサングラス（Ｓｕｎｇｌａｓｓｅｓ）は、太陽光線、紫外線などを避けるために着用されている。また、保護メガネの他の例としてゴーグル（Ｇｏｇｇｌｅ）は、スキー、レーシングなどを行うとき、目を保護するように着用する割れないレンズで構成されている。このようなメガネは、フレーム（Ｆｒａｍｅ）、一対のレンズ（Ｌｅｎｓ）及び一対のつる（Ｔｅｍｐｌｅ）を基本的な構成として備えている。
【０００３】
一方、夜間、暗所などで一時照明を必要とすることがよくある。使用者が手で持って運ぶことができる懐中電灯（Ｆｌａｓｈｌｉｇｈｔ）は、臨時照明として広く用いられている。しかし、使用者がいつも懐中電灯を携帯することはできない。また、懐中電灯は使用者が手で持って目標物を照らさなければならないため、使用者は行動に高い制約を受けて煩わしくて不便な欠点がある。
【０００４】
アメリカ特許出願公開２００７／０２００９９８Ａ１号（特許文献）のメガネは、発光ダイオード（Ｌｉｇｈｔ Ｅｍｉｔｔｉｎｇ Ｄｉｏｄｅ、ＬＥＤ）の照明を具現する技術を開示している。この特許文献の技術は、メガネのフレームが透明または半透明の材料（Ｔｒａｎｓｐａｒｅｎｔ ｏｒ Ｔｒａｎｓｌｕｃｅｎｔ Ｍａｔｅｒｉａｌ）で製作され、フレームに複数の発光ダイオードを持つ発光ダイオード組立体（ＬＥＤ Ａｓｓｅｍｂｌｙ）が内蔵されている。また、発光ダイオードの点灯のために、一対のつるの中でいずれか一方に電力の供給を制御するスイッチが設けられており、他方に電力の供給のためにバッテリーが内蔵されている。
【０００５】
しかし、前述した特許文献のメガネは発光ダイオードが透明または半透明の材料で製作されているフレームに内蔵されているため、発光ダイオードの光がフレームを透過して目の周りに散乱される。また、発光ダイオードの光がレンズによって反射されるため、視認性（Ｖｉｓｉｂｉｌｉｔｙ）を低下させる。そのため、目に疲れ感を感じさせて視力に悪影響を及ぼす欠点がある。また、メガネのつるにスイッチとバッテリーが備えられているため、重くて大きくて着用が不便な問題がある。特に、フレームの材料を金属、不透明プラスチックなどで製作することができないため、設計自由度が非常に低下する問題がある。
【発明の概要】
【発明が解決しようとする課題】
【０００６】
本発明は前述したようなさまざまな問題点を解決するためになされたもので、本発明の目的は、つるの先端部に装着されるランプが着用者の視野に平行に前方に照明を具現して視認性を向上させることができる照明機能を持つメガネを提供することにある。
【０００７】
本発明の他の目的は、つるの先端部に内蔵して備えられるランプによって、構造を簡単にし、小型化及び軽量化して製作することができる照明機能を持つメガネを提供することにある。
【０００８】
本発明のさらに他の目的は、メガネのフレームと独立している電源をケーブルを介して簡便に接続することができる照明機能を持つメガネを提供することにある。
【課題を解決するための手段】
【０００９】
このような目的を達成するために、一対のレンズが装着されているフレームと；前記フレームに互いに離隔して折畳可能に連結された先端部、着用者の耳を越えて延在する後端部、及び先端部に形成された前面の開放した収納ポケットを持つ一対のつると；前記一対のつるの前記収納ポケットに前方に向けて光を放射するようにそれぞれ装着されている複数のランプと；前記フレームと独立しており、前記複数のランプにケーブルを介して選択的に連結される電源と；を含む、照明機能を持つメガネが提供される。
【図面の簡単な説明】
【００１０】
【図１】図１は、本発明の第１実施例によるメガネを着用者が着用している状態を例示的に示す斜視図である。
【図２】図２は、本発明の第１実施例によるメガネの構成を示す斜視図である。
【図３】図３は、本発明の第１実施例によるメガネにおいて、ホルダー、ランプ及び抵抗を分離して示す斜視図である。
【図４】図４は、本発明の第１実施例によるメガネにおいて、ホルダーとランプを分離して示す斜視図である。
【図５】図５は、本発明の第１実施例によるメガネにおいて、収納ポケットにホルダーとランプが装着されている構成を部分的に示す断面図である。
【図６】図６は、本発明の第１実施例によるメガネにおいて、ランプ、抵抗及び電源の回路図である。
【図７】図７は、本発明の第１実施例によるメガネにおいて、ケーブルの連結構造の他の例を示す断面図である。
【図８】図８は、本発明の第２実施例によるメガネを着用者が着用している状態を例示的に示す斜視図である。
【図９】図９は、本発明の第２実施例によるメガネの構成を示す斜視図である。
【図１０】図１０は、本発明の第２実施例によるメガネにおいて、ホルダーとランプを分離して示す斜視図である。
【図１１】図１１は、本発明の第２実施例によるメガネにおいて、収納ポケットにホルダーとランプが装着されている構成を部分的に示す断面図である。
【図１２】図１２は、本発明の第２実施例によるメガネにおいて、ランプ、抵抗及び電源の回路図である。
【図１３】図１３は、本発明の第２実施例によるメガネにおいて、ケーブルの連結構造の他の例を示す断面図である。
【図１４】図１４は、本発明の第３実施例によるメガネを着用者が着用している状態を例示的に示す斜視図である。
【図１５】図１５は、本発明の第３実施例によるメガネにおいて、ケーブルの連結構造を示す断面図である。
【発明を実施するための形態】
【００１１】
以下、本発明による照明機能を持つメガネの好適な実施例を添付図面に基づいて詳細に説明する。
【００１２】
まず、図１〜図６には本発明による照明機能を持つメガネの第１実施例が示されている。図１及び図２を参照すれば、第１実施例によるメガネ１は、フレーム１０、フレーム１０に装着されている一対のレンズ１２、及びフレーム１０の両側に連結されている一対のつる（テンプル）１４を備えている。つる１４の先端部はヒンジ（Ｈｉｎｇｅ）１６によってフレーム１０の両側に折畳可能に連結されており、後端部は着用者の耳にかかるチップ（Ｔｉｐ）１８で構成されている。
【００１３】
図１〜図４を参照すれば、つる１４の先端部に前面の開放した収納ポケット２０を持つハウジング（Ｈｏｕｓｉｎｇ）２２が一体的に形成されており、一側面に収納ポケット２０と連通するロック孔２４が形成されている。ハウジング２２は、着用者の皮膚が接触するつる１４の内側面と反対の外側面に形成されている。収納ポケット２０の内面に支持段２６が形成されている。つる１４の先端部に近接するハウジング２２の後面には、収納ポケット２０と連結される配線孔２８が形成されている。
【００１４】
図３〜図５を参照すれば、本発明の第１実施例によるメガネ１は、つる１４の収納ポケット２０に装着されているホルダー（Ｈｏｌｄｅｒ）３０を備えている。ホルダー３０は、収納ポケット２０に差し込まれる実装板部（Ｍｏｕｎｔ Ｐｌａｔｅ Ｐｏｒｔｉｏｎ）３２と、実装板部３２の先端部に形成されているフランジ（Ｆｌａｎｇｅ）３４とから構成されている。実装板部３２は平板型（Ｐｌａｔｅ Ｔｙｐｅ）で構成されている。実装板部３２には複数の装着孔３６と複数の貫通孔３８が形成されている。フランジ３４の前面には複数の装着凹部４０が形成されている。装着凹部４０は、図５に示すように下向きにかつ後方に傾いた傾斜支持面４２を持ち、傾斜支持面４２に複数の配線孔４４が形成されている。フランジ３４の後面の縁部は支持段２６に支持されることにより、収納ポケット２０内で位置が正確に整列（調整）される。実装板部３２の一側面にスナップフック（Ｓｎａｐ Ｈｏｏｋ）４６が形成されている。スナップフック４６はつる１４のロック孔２４に結合されることにより、収納ポケット２０からのホルダー３０の離脱を防止する。
【００１５】
第１実施例によるメガネ１は、ホルダー３０の装着凹部４０に装着されている複数のランプ５０を備えている。ランプ５０は光軸５２を持ち、光軸５２は着用者の視野と平行に配置されている。ランプ５０は発光ダイオード５４で構成されている。発光ダイオード５４は、電力の供給によって発光する本体部５４ａと、電力の供給のために、本体部５４ａに連結されている複数のリード５４ｂとを含む。発光ダイオード５４の本体部５４ａは装着凹部４０に収容されている（図５参照）。本体部５４ａは傾斜支持面４２に支持されて、光軸５２と着用者の視野を平行に維持する。リード５４ｂは配線孔４４に貫通している。
【００１６】
図３〜図６を参照すれば、ホルダー３０の装着孔３６に複数の抵抗５６が装着されている。抵抗５６のリード５６ａは、実装板部３２の他側面から貫通孔３８に差し込まれている。発光ダイオード５４のリード５４ｂと抵抗５６のリード５６ａは、半田付け（Ｓｏｌｄｅｒｉｎｇ）によってそれぞれ連結されている。図５及び図６には一つのつる１４の収納ポケット２０にランプ５０と抵抗５６が二つずつ装着されているものがが示されているが、これは例示的なもので、ランプ５０と抵抗５６の数は必要によって加減できる。
【００１７】
ランプ５０は複数のケーブル６０によって電源７０と連結されている。ケーブル６０は、ハウジング２２の配線孔２８を貫いて電源７０に連結されている。ケーブル６０の一端は抵抗５６のリード５６ａに連結され、他端は電源接続手段としてコネクター６２に連結されている。図１に示すように、電源７０は、携帯電話機（Ｍｏｂｉｌｅ Ｐｈｏｎｅ）、個人携帯情報端末（Ｐｅｒｓｏｎａｌ Ｄｉｇｉｔａｌ Ａｓｓｉｓｔａｎｔ、ＰＤＡ）、携帯用マルチメディアプレーヤー（Ｐｏｒｔａｂｌｅ Ｍｕｌｔｉｍｅｄｉａ Ｐｌａｙｅｒ、ＰＭＰ）、ＭＰ４プレーヤー（ＭＰ４ Ｐｌａｙｅｒ）などのような公知の移動端末機（Ｍｏｂｉｌｅ Ｔｅｒｍｉｎａｌ）７２で構成できる。公知の移動端末機７２は、充電式バッテリー７２ａとコネクター６２の接続のための接続部７２ｂを備えている。また、電源７０はバッテリーを持つバッテリーパック（Ｂａｔｔｅｒｙ Ｐａｃｋ）で構成できる。図１、図２及び図６に示すように、フレーム１０と電源７０の間に露出しているケーブル６０の一側に電力の供給をオン／オフ制御（Ｏｎ／Ｏｆｆ Ｃｏｎｔｒｏｌ）するスイッチ８０が連結されている。
【００１８】
このような構成を持つ第１実施例によるメガネ１を着用した状態で照明が必要な場合、着用者はケーブル６０に連結されているコネクター６２を移動端末機７２の接続部７２ｂに接続させ、スイッチ８０をオン（Ｏｎ）にする。スイッチ８０がオンにされると、移動端末機７２のバッテリー７２ａからの電力が抵抗５６を通じてランプ５０にそれぞれ印加される。
【００１９】
図５に示すように、ランプ５０は点灯によって発光し、光は収納ポケット２０を通じてメガネ１の前方に投射（放射）される。ランプ５０の光は着用者の視野と平行に投射されて視認性を保障するので、着用者はその行動に制約されずに目標物を明らかに識別することができる。発光ダイオード５４は寿命が長く、環境に優しく、低電力・高出力の特性を保有する。また発行ダイオード５４は、簡単な構造を有し、小型及び軽量であるので、つる１４に内蔵して装着しやすい。また、発光ダイオード５４の光は損失が少なく、視認性と指向性が良いので、夜間の釣り、山登り用の照明などに簡便に使うことができる。そして、老眼鏡の着用者には作業及び読書用照明として使いやすい。
【００２０】
図７には第１実施例によるメガネに用いられるケーブルの連結構造の他の例が示されている。図７を参照すれば、つる１４の先端部に近接するハウジング２２の後面にソケット（Ｓｏｃｋｅｔ）９０がそれぞれ装着されている。ソケット９０は抵抗５６を介してランプ５０に連結されている。ケーブル６０の一端にジャック（Ｊａｃｋ）９２がそれぞれ連結されている。ソケット９０とジャック９２が接続されている状態で電力が供給されれば、ランプ５０が点灯される。ジャック９２がソケット９０から分離されれば、つる１４からケーブル６０が分離されるので、着用者は照明が不要な場所でケーブル６０のないメガネ１を簡便に着用することができる。
【００２１】
図８〜図１２に本発明による照明機能を持つメガネの第２実施例が示されている。図８及び図９を参照すれば、第２実施例によるメガネ１００は、前述した第１実施例によるメガネ１と同様に、フレーム１１０、一対のレンズ１１２、一対のつる１１４、及びヒンジ１１６で構成されている。図８及び図９にはつる１１４の後端部に、着用者の耳にかかるチップが削除されているものが示されているが、チップは、第１実施例によるメガネ１と同様に、必要によってつる１１４の後端部に備えることができる。
【００２２】
図８〜図１１を参照すれば、第２実施例によるメガネ１００のつる１１４は、その先端部に前面が開放した収納ポケット１２０を持ち、収納ポケット１２０と連結されるようにつる１１４の長手方向に沿って形成されたボア（Ｂｏｒｅ）１２２を持つ中空型に構成されている。つる１１４の後端部には複数のケーブル１６０が通過する配線孔１２４がボア１２２と連結されるように形成されている。収納ポケット１２０の内面には支持段１２６が形成されている。つる１１４の収納ポケット１２０にはホルダー１３０がそれぞれ装着されている。ホルダー１３０の後面の縁部は支持段１２６に支持されることにより、収納ポケット２０内での位置が正確に整列される。ホルダー１３０の前面には複数の装着凹部１３２が形成されている。装着凹部１３２は下向きにかつ後方に傾いた傾斜支持面１３４を持ち、傾斜支持面１３４に複数の配線孔１３６が形成されている。
【００２３】
図１０及び図１２に示すように、ホルダー１３０の装着凹部１３２には複数のランプ１５０が装着されている。ランプ１５０の光軸１５２は着用者の視野と平行に配置されている。ランプ１５０は、発光する本体部１５４ａと、複数のリード１５４ｂを持つ発光ダイオード１５４とから構成されている。一方、ランプ１５０は必要によってホルダー１３０に装着せずにつる１１４の収納ポケット１２０に直接挿入して装着することができる。この場合、収納ポケット１２０の内側には、ランプ１５０の光軸１５２が下向きかつ前方に配列されるように、装着凹部１３２や傾斜支持面１３４などといった構造を提供することが必要である。
【００２４】
ランプ１５０は、つる１１４のボア１２２と配線孔１２４を通じて配線される複数のケーブル１６０を介して電源１７０と連結されている。ケーブル１６０の一端はランプ１５０のリード１５４ｂと半田付けで接続されている。電源１７０はバッテリーパック（Ｂａｔｔｅｒｙ Ｐａｃｋ）１７２で構成できる。図８に示すように、バッテリーパック１７２は、ケース１７２ａ、ケース１７２ａを覆うカバー１７２ｂ、及びケース１７２ａに収納される複数のバッテリー１７２ｃで構成されている。ケーブル１６０とバッテリーパック１７２は必要によってコネクターによって接続するように構成できる。また、電源１７０は、第１実施例によるメガネ１と同様に、移動端末機で構成されることができ、バッテリーパック１７２は第１実施例によるメガネ１に使用されることもできる。図８、９及び図１２に示すように、フレーム１１０と電源１７０の間に露出しているケーブル１６０の一側に電力の供給をオン／オフ制御するスイッチ１８０が連結されている。スイッチ１８０をなすケース１８２の内側にはケーブル１６０に連結される抵抗１５６が装着されている。抵抗１５６がスイッチ１８０のケース１８２に装着される構成は、必要によって第１実施例によるメガネ１に適用することができる。
【００２５】
このような構成を持つ第２実施例によるメガネ１００は、ランプ１５０の点灯によって発光し、光は収納ポケット１２０を通じてメガネ１００の前方に着用者の視野と平行に投射される。ケーブル１６０はつる１１４のボア１２２を通じて電源１７０側に伸びるので、つる１１４と電源１７０の間に露出されるケーブル１６０の長さを最小化することができる。また、つる１１４の後端に形成されている配線孔１２４を通じてつる１１４の外側に引き出された後、耳の後方で下向きに自然につるされて整頓される。よって、つる１１４の外側に引き出されるケーブル１６０が着用者の顔に触れるか視野を遮ることがなくなる。
【００２６】
図１３には第２実施例によるメガネに用いられるケーブルの連結構造の他の例が示されている。図１３を参照すれば、つる１１４の後端部にソケット１９０がそれぞれ装着されている。ソケット１９０はケーブル１６０ａによってランプ１５０にそれぞれ連結されている。ケーブル１６０ｂの一端にはジャック１９２がそれぞれ連結されている。ソケット１９０とジャック１９２の接続されている状態で電力が供給されれば、ランプ１５０が点灯される。ジャック１９２がソケット１９０から分離されれば、つる１１４からケーブル１６０ｂが分離されるので、着用者は、照明が不要なとき、ケーブル１６０ｂのないメガネ１００を簡便に着用することができる。
【００２７】
図１４及び図１５には本発明による照明機能を持つメガネの第３実施例が示されている。図１４及び図１５を参照すれば、第３実施例によるメガネ２００は、前述した第１実施例によるメガネ１と基本的な構成がほとんど同じなので、第３実施例によるメガネ２００は第１実施例によるメガネ１と同一の符号を付与し、それについての詳細な説明は省略する。
【００２８】
第３実施例によるメガネ２００は、つる１４の外側面にケーブル６０を収容して隠蔽する配線管（Ｗｉｒｉｎｇ Ｐｉｐｅ）６４がつる１４の長手方向に沿って装着されている。配線管６４の一端はハウジング２２の配線孔２８に差し込まれており、他端は着用者の耳に近接するように位置している。つる１４の外側面に着用者の耳に近接するように固定突起６６がつる１４と一体型に形成されている。固定突起６６は配線管６４の他端が差し込まれて固定される孔６６ａを持つ。
【００２９】
ケーブル６０、はハウジング２２の配線孔２８、配線管６４及び固定突起６６の孔６６ａを通過して電源７０と連結される。ケーブル６０は固定突起６６の孔６６ａを通過して外部に露出される。着用者の耳に近接して露出されるケーブル６０を耳の上部を通って後方に越せば、ケーブル６０が着用者の顔に触れるか視野を遮ることを防止することができる。図１４はケーブル６０が耳の後方に越されているものを示して説明したが、着用者はケーブル６０を耳に近接する前方から下方に自然に吊らされるように第３実施例によるメガネ２００を着用することもできる。
【００３０】
以上説明した実施例らは本発明の好適な実施例らを説明したものに過ぎなく、本発明の権利範囲は前述した実施例に限定されるものではないし、本発明の技術的思想及び特許請求の範囲内で当該分野の当業者によって多様な変更、変形または置換が可能であり、そのような実施例は本発明の範囲に属するものとして理解しなければならない。
【産業上の利用可能性】
【００３１】
以上説明したように、本発明による照明機能を持つメガネによれば、つるの先端部に装着されるランプが着用者の視野に平行にかつ前方に照明を具現して視認性を向上させるので、着用者が夜間、暗所などで行動の制約なしに非常に有用に使うことができる。また、つるの先端部に内蔵型に備えられるランプによって照明機能を保有するとともに、構造を簡単にかつ小型化及び軽量化して製作することができる。メガネのフレームと独立している移動端末機、バッテリーパックなどのような電源をケーブルによって簡便に接続することができるので、利便性を向上させることができる。
【図１】
2010537380.tif 000003
【図２】
2010537380.tif 000004
【図３】
2010537380.tif 000005
【図４】
2010537380.tif 000006
【図５】
2010537380.tif 000007
【図６】
2010537380.tif 000008
【図７】
2010537380.tif 000009
【図８】
2010537380.tif 000010
【図９】
2010537380.tif 000011
【図１０】
2010537380.tif 000012
【図１１】
2010537380.tif 000013
【図１２】
2010537380.tif 000014
【図１３】
2010537380.tif 000015
【図１４】
2010537380.tif 000016
【図１５】
2010537380.tif 000017
【国際調査報告】
2010537380.tif 000018
2010537380.tif 000019